(57)【要約】【課題】  デバイスの構成を変更することなく画像の明るさを向上する。【解決手段】  映像表示用のデータと白表示用のデータとを１又は複数フレーム毎に交互に書き込む、或いは、１フレームを映像表示用のフィールドと白表示用のフィールドとに分け、これらのフィールドの書き込み開始時期を１垂直期間内でずらしながら、各フィールドのデータを１ライン毎に交互に書き込む。このように映像中に白画像を挿入することで高輝度化を図ることができる。【選択図】  図５
2005055828.tif 000002
【特許請求の範囲】
【請求項１】
画像表示領域内に配列して設けられた複数の画素と、これらの画素をマトリクス駆動する駆動回路部とを備え、
上記駆動回路部は、映像表示用のデータと白表示用のデータとを交互に書き込むことを特徴とする、画像表示装置。
【請求項２】
上記駆動回路部は、映像表示用のデータと白表示用のデータとを１又は複数フレーム毎に交互に書き込むことを特徴とする、請求項１記載の画像表示装置。
【請求項３】
上記駆動回路部は、１フレームを映像表示用のフィールドと白表示用のフィールドとに分け、これらのフィールドの書き込み開始時期を１垂直期間内でずらしながら、各フィールドのデータを１ライン毎に交互に書き込むことを特徴とする、請求項１記載の画像表示装置。
【請求項４】
各フィールドの書き込み開始時期が可変に制御されたことを特徴とする、請求項３記載の画像表示装置。
【請求項５】
上記駆動回路部は、上記白表示用のデータを映像の帰線期間内に書き込むことを特徴とする、請求項３又は４記載の画像表示装置。
【請求項６】
上記駆動回路部は、映像表示用のデータと白表示用のデータの書き込み極性を反転させることを特徴とする、請求項１〜５のいずれかの項に記載の画像表示装置。
【請求項７】
画像表示領域内に複数の画素が配列して設けられた画像表示装置の駆動方法であって、
各画素に対して映像表示用のデータと白表示用のデータとを交互に書き込むことを特徴とする、画像表示装置の駆動方法。
【請求項８】
画像表示領域内に複数の画素が配列して設けられた画像表示装置の駆動方法であって、
１フレームを映像表示用のフィールドと白表示用のフィールドに分け、これらのフィールドの書き込み開始時期を１垂直期間内でずらしながら、各フィールドのデータを１ライン毎に交互に書き込むことを特徴とする、画像表示装置の駆動方法。
【請求項９】
請求項１〜６のいずれかの項に記載の画像表示装置と、この画像表示装置によって形成された画像を投射する投射レンズとを備えたことを特徴とする、投射型表示装置。
【発明の詳細な説明】
【技術分野】
【０００１】
本発明は、画像表示装置とその駆動方法ならびに投射型表示装置に関する。
【背景技術】
【０００２】
液晶ディスプレイ等の画像表示装置では、画像の高輝度化が求められている。このような課題に対して、従来は主にデバイスの構造面からのアプローチがなされていた。例えば特許文献１では、１画素内にＲ（赤），Ｇ（緑），Ｂ（青）のドットの他にＷ（白）のドットを設けることで、白輝度を高めた構造のものが開示されている。
【特許文献１】特開平１０−１０９９８号公報
【発明の開示】
【発明が解決しようとする課題】
【０００３】
しかしながら、このように画素構造を変えると、それに応じてドライバ構成も変える必要があるため、結果的にデバイスのコストアップにつながる。
本発明は、上記の課題を解決するためになされたものであって、デバイスの構成を変更することなく画像を高輝度化できるようにした、画像表示装置とその駆動方法ならびにこれを備えた投射型表示装置を提供することを目的とする。
【課題を解決するための手段】
【０００４】
上記の目的を達成するために、本発明の画像表示装置は、画像表示領域内に配列して設けられた複数の画素と、これらの画素をマトリクス駆動する駆動回路部とを備え、上記駆動回路部は、映像表示用のデータと白表示用のデータとを交互に書き込むことを特徴とする。
本発明では、映像中に白画像を挿入することで高輝度化を図っている。このように本発明によれば、駆動方法の変更のみで前述の課題を解決されるため、従来のものよりも明るい表示装置を安価に提供することができる。
【０００５】
上記駆動回路部によるデータの書き込み方法としては、以下の方法を採用することができる。
（ａ）映像表示用のデータと白表示用のデータとを１又は複数フレーム毎に交互に書き込む。
（ｂ）１フレームを映像表示用のフィールドと白表示用のフィールドとに分け、これらのフィールドの書き込み開始時期を１垂直期間内でずらしながら、各フィールドのデータを１ライン毎に交互に書き込む。
【０００６】
上記（ａ）の方法では、例えば第１フレームでは映像、第２フレームでは白画像（全面白表示）といったように、画像表示領域内には、映像画面と白画面とが交互に表示される。なお、この方法では、フリッカを防止するために、画像の書き込みを倍速で行なう（即ち、映像及び白画像のデータの書き込みを、外部から入力される映像信号の２倍の周波数で行なう）ことが望ましい。
一方、上記（ｂ）の方法では、１画面の映像が全て書き込まれた後に白画像の書き込みが開始されるのではなく、映像を画面の途中まで書き込んだ段階で白画像の書き込みが開始される。そして、各画像データ（映像表示用のデータ及び白表示用のデータ）の書き込みは並行して行なわれていく。このため、画面内には、映像の表示される領域（映像表示領域）と白画像の表示される領域（白表示領域）とがある程度の広さを持って形成され、各領域は、データの書き込み走査に伴って画面内を上から下にスクロールしていく。
【０００７】
なお、この（ｂ）の方法では、各フィールドの書き込み開始時期は可変に制御されることが好ましい。本発明では映像中に一部白画像が挿入されることで、画像は全体として白っぽくなる。このため、例えば明るい場所で映像を鑑賞する場合には、映像の明るさが向上することによる効果よりも、コントラストの低下による不具合の方が大きくなる場合もある。このため、白画像の挿入量を何らかの形で調節する手段が必要となってくる。前述したように、本方法では、先に書き込まれた画像データ（第１のフィールドデータ）は、後に書き込みを開始された画像データ（第２のフィールドデータ）によって順次書き換えられていく。このため、これらのフィールドの間で書き込み開始時期の間隔が短くなる程、先に書き込まれたフィールドのデータが画面内に保持される期間は短くなり、逆にこの間隔が長くなるほど保持期間は長くなる。例えば、第１のフィールドを白表示用、第２のフィールドを映像表示用とした場合、各フィールドの書き込み開始時期の間隔を短くしていくと、画像の輝度は低下するものの、コントラストは上がっていく。逆に、この間隔を長くしていくと、輝度は大きくなるものの、コントラストは下がっていく。この場合、画像の明るさとコントラストはトレードオフの関係となるため、各フィールドの書き込み開始時期の間隔を外部からの情報（例えば映像信号に基づく情報、周囲の明るさに関する情報、使用者の好みに基づく情報等）に基づいて可変に調節することで、使用環境や使用者の好み等に応じた最適な表示を行なうことができる。
【０００８】
また、（ｂ）の方法では、白表示用データの書き込みを映像の帰線期間内に行なってもよい。このように帰線期間を利用することで、上記（ａ）のように倍速駆動を行なうことなく、上述の効果を得ることができる。
【０００９】
また、上記（ａ），（ｂ）の方法では、映像表示用のデータと白表示用のデータの書き込み極性を反転させることが望ましい。これにより、例えば上記（ａ）の方法では、面反転駆動を実現することができる。一方、（ｂ）の方法では、前述の映像表示領域と白表示領域とに対応して、画面内には書き込み極性の異なる２つの領域ができるため、データ線側についてはライン反転と同様の駆動を行ないながら、領域毎には面反転と同様の駆動を行なうことができる。このため、（ｂ）の方法では、面反転駆動及びライン反転駆動の双方の利点を享有することができる。
【００１０】
また、本発明の画像表示装置の駆動方法は、画像表示領域内に複数の画素が配列して設けられた画像表示装置の駆動方法であって、各画素に対して映像表示用のデータと白表示用のデータとを交互に書き込むことを特徴とする。また、発明の画像表示装置の駆動方法は、画像表示領域内に複数の画素が配列して設けられた画像表示装置の駆動方法であって、１フレームを映像表示用のフィールドと白表示用のフィールドとに分け、これらのフィールドの書き込み開始時期を１垂直期間内でずらしながら、各フィールドのデータを１ライン毎に交互に書き込むことを特徴とする。
本方法によれば、上記本発明の画像表示装置と同様の作用，効果（即ち、画像の明るさを容易に調節できる効果）が得られる。
【００１１】
また、本発明の投射型表示装置は、上述の画像表示装置と、この画像表示装置によって形成された画像を投射する投射レンズとを備えたことを特徴とする。
本構成によれば、上記画像表示装置を備えたことで、表示品位に優れた投射型表示装置を実現することができる。
【発明を実施するための最良の形態】
【００１２】
［第１の実施の形態］
以下、本発明の第１の実施の形態を図１〜図５を参照して説明する。
本実施の形態では、投射型表示装置の光変調装置として用いる液晶ライトバルブ（画像表示装置）の例を挙げて説明する。
図１は本実施の形態の液晶ライトバルブの概略構成図、図２は図１のＨ−Ｈ’線に沿う断面図、図３は液晶ライトバルブを構成するマトリクス状に形成された複数の画素の等価回路図、図４は駆動回路部を含むブロック図、図５は画面の動きを説明するための図である。なお、各図においては、各層や各部材を図面上で認識可能な程度の大きさとするため、各層や各部材毎に縮尺を異ならしめてある。
【００１３】
（液晶ライトバルブの全体構成）
本実施の形態の液晶ライトバルブ１の構成は、図１および図２に示すように、ＴＦＴアレイ基板１０上に、シール材５２が対向基板２０の縁に沿うように設けられており、その内側に並行して額縁としての遮光膜５３（周辺見切り）が設けられている。シール材５２の外側の領域には、データドライバ（データ線駆動回路）２０１および外部回路接続端子２０２がＴＦＴアレイ基板１０の一辺に沿って設けられており、走査ドライバ（走査線駆動回路）１０４がこの一辺に隣接する２辺に沿って設けられている。
【００１４】
さらに、ＴＦＴアレイ基板１０の残る一辺には、画像表示領域の両側に設けられた走査ドライバ１０４間を接続するための複数の配線１０５が設けられている。また、対向基板２０のコーナー部の少なくとも１箇所においては、ＴＦＴアレイ基板１０と対向基板２０との間で電気的導通をとるための上下導通材１０６が設けられている。そして、図２に示すように、図１に示したシール材５２とほぼ同じ輪郭を持つ対向基板２０がシール材５２によりＴＦＴアレイ基板１０に固着されており、ＴＦＴアレイ基板１０と対向基板２０との間にＴＮ液晶等からなる液晶層５０が封入されている。また、図１に示すシール材５２に設けられた開口部５２ａは液晶注入口であり、封止材２５によって封止されている。
【００１５】
図３において、本実施の形態における液晶ライトバルブ１の画像表示領域を構成するマトリクス状に形成された複数の画素には夫々、画素電極９と当該画素電極９をスイッチング制御するためのＴＦＴ３０とが形成されており、画像信号が供給されるデータ線６ａがＴＦＴ３０のソース領域に電気的に接続されている。本実施の形態の液晶ライトバルブ１は、ｎ本のデータ線６ａと２ｍ本の走査線３ａとを有している（ｎ，ｍはともに自然数）。データ線６ａに書き込む画像信号Ｓ１、Ｓ２、…、Ｓｎは、この順に線順次に供給しても構わないし、相隣接する複数のデータ線６ａ同士に対して、グループ毎に供給するようにしても良い。
【００１６】
また、ＴＦＴ３０のゲートには走査線３ａが電気的に接続されており、所定のタイミングで各走査線３ａにパルス的に走査信号Ｇ１、Ｇ２、…、Ｇ２ｍを後述するように飛び越しつつ印加するように構成されている。画素電極９は、ＴＦＴ３０のドレインに電気的に接続されており、スイッチング素子であるＴＦＴ３０を一定期間だけオン状態とすることにより、データ線６ａから供給される画像信号Ｓ１、Ｓ２、…、Ｓｎを所定のタイミングで書き込む。画素電極９を介して液晶に書き込まれた所定レベルの画像信号Ｓ１、Ｓ２、…、Ｓｎは、対向基板２０に形成された共通電極との間で一定期間保持される。ここで、保持された画像信号がリークするのを防ぐために、画素電極９と共通電極との間に形成される液晶容量と並列に蓄積容量７０が設けられている。
【００１７】
本実施の形態の液晶ライトバルブ１の駆動回路部６０は、上述のデータドライバ２０１、走査ドライバ１０４の他、図４に示すように、コントローラ６１、フレームメモリ６２、ＤＡコンバータ６４などから構成されている。フレームメモリ６２は外部から入力された１フレーム分の映像データを一時的に蓄えるためのものである。コントローラ６１は、垂直同期信号Ｖsync、水平同期信号Ｈsync、ドットクロック信号dotclk、および映像データDATAが入力され、書き込む走査線３ａに対応したデータのフレームメモリ６２からの読み出しを行なう。すなわち、コントローラ６１は、フレームメモリ６２に蓄えられた１画面分の情報をデータドライバ２０１側に出力した後、全画素に白表示用のデータを出力する。そして、この動作を交互に繰り返すことで、図５に示すように、映像と白画像とを１フレーム毎に交互に表示する。この際、駆動周波数を映像DATAと同じ周波数６０Ｈｚで行なうと、フリッカが生じることがあるため、フレームメモリ６２からのデータの読み出しを映像DATAの２倍の周波数（例えば１２０Ｈｚ）で行ない、映像データ及び白表示用データの書き込み走査を倍速で行なうことが望ましい。また、液晶の劣化を防止するために、映像データと白表示用データの書き込み極性を反転させて面反転駆動を行なってもよい。
【００１８】
このように本実施形態によれば、駆動方法の変更のみで画像の明るさを調節できるため、画素構造を変更した従来のものに比べて、明るい表示装置を安価に提供することができる。なお、本実施形態では白画像を１フレーム毎に挿入したが、この代わりに複数フレームの映像が表示された後に、白画像を１フレーム又は複数フレーム挿入するようにしてもよい。
【００１９】
［第２の実施の形態］
次に、本発明の第２の実施の形態を図６〜図１３を参照して説明する。
図６は本実施の形態の液晶ライトバルブの駆動回路部を含むブロック図、図７は駆動回路部内の走査ドライバの構成を示す回路図、図８は図７中の要部の詳細回路図、図９は液晶ライトバルブの動作を説明するためのタイミングチャート、図１０，図１１は図９中の要部を取りだして示すタイミングチャート、図１２は画面のイメージを示す図、図１３は画面の動きを説明するための図である。なお、本実施形態では、上記第１実施形態と同様の部材については同じ符号を付し、その説明を省略する。
【００２０】
本実施の形態の液晶ライトバルブ１の駆動回路部７０は、データドライバ２０１、走査ドライバ１０４の他、図６に示すように、コントローラ７１、ＤＡコンバータ６４などから構成されている。コントローラ７１は、垂直同期信号Ｖsync、水平同期信号Ｈsync、ドットクロック信号dotclk、および映像データDATAが入力され、この映像データDATAを画像信号としてデータドライバ側に出力する。また、コントローラ６１は、映像中に白画像を挿入するために、１水平期間毎にデータドライバ側に白表示用のデータ（電圧値は±Vb）を出力する。すなわち、コントローラ７１は１フレームを映像表示用のフィールドと白表示用のフィールドとに分け、各フィールドのデータを１水平期間毎に交番的に出力している。なお、各フィールドのデータは互いに極性が異なり、これらのデータの極性は１垂直期間毎に反転される。
【００２１】
走査ドライバ１０４の構成は、図７に示すように、コントローラ７１からゲート出力パルスＤＹ、クロック信号ＣＬＹ、反転クロック信号ＣＬＹ’がそれぞれ入力されるシフトレジスタ６６と、シフトレジスタ６６からの出力が入力される２ｍ個のＡＮＤ回路６７を有している。２ｍ本の走査線３ａは画像表示領域の最上部から奇数本目に配置されたものと偶数本目に配置されたものとの２つのブロックに分かれており、シフトレジスタ６６からの各出力に２つのイネーブル信号のいずれかが接続されている。すなわち、偶数本目の走査線Ｇ２，Ｇ４，・・・，Ｇｍ，Ｇｍ＋２，・・・，Ｇ２ｍに対応するＡＮＤ回路６７にはシフトレジスタ６６からの出力とイネーブル信号ＥＮＢ１が入力され、奇数本目の走査線Ｇ１，Ｇ３，・・・，Ｇｍ＋１，Ｇｍ＋３，・・・，Ｇ２ｍ−１に対応するＡＮＤ回路６７にはシフトレジスタ６６からの出力とイネーブル信号ＥＮＢ２が入力される構成となっている。画面中央部において、シフトレジスタ６６の内部構成を含めて示したのが図８である。
【００２２】
（液晶ライトバルブの動作）
上記構成の駆動回路部６０の動作を図９、図１０を用いて説明する。
駆動回路部７０では、ゲート出力パルスＤＹが１／２垂直期間毎に１回ずつ（即ち、外部から入力される映像信号における１垂直期間内に計２回）出力される。ゲート出力パルスＤＹは、１水平期間毎に１パルスが立ち上がるクロック信号ＣＬＹによって走査ドライバ１０８のシフトレジスタ６６中をシフトしていく。一方、イネーブル信号ＥＮＢ１，ＥＮＢ２は、ＥＮＢ１，ＥＮＢ１，ＥＮＢ２，ＥＮＢ２，ＥＮＢ１，ＥＮＢ１，ＥＮＢ２，ＥＮＢ２，・・・の順で、２水平期間毎に交番的に立ち上がり、これらのイネーブル信号の立ち上がり位置に対応する走査線に対して走査信号が出力される。以上の動作によって、ゲートパルスは走査線ｍ本分離れた画面上の２箇所に交互に出力される。すなわち、所定の走査線からｍ本離れた走査線に飛び越しては前記所定の走査線の次段の走査線に戻り、その走査線からｍ本離れた走査線に飛び越してはまたその次段の走査線に戻るというように（つまり、走査線Ｇ１、走査線Ｇｍ＋１、走査線Ｇ２、走査線Ｇｍ＋２、Ｇ３、…という順序で）順次出力される。ここでイネーブル信号ＥＮＢ１，ＥＮＢ２はそのパルス幅が、入力される映像信号の１水平期間の約１／２となっている。このようにゲート出力パルスＤＹ，イネーブル信号ＥＮＢ１，ＥＮＢ２を出力することにより、ライトバルブにとっての１水平期間は、入力される映像信号にとっての１水平期間の１／２となる。
【００２３】
一方、データドライバ２０１では、図１１に示すように、互いに極性の異なる映像表示用のフィールドデータ（映像データDATA）と白表示用のフィールドデータ（電圧値は±Vb）とが交互に出力され、これらのフィールドデータは、コモン電位ＬＣＣＯＭを中心として１垂直期間毎に正極性電位と負極性電位とに極性が反転される。したがって、データドライバ２０１側では１水平期間毎に極性の反転したデータが出力され、走査ドライバ１０４側ではゲートパルスが上記の順番で走査線ｍ本分離れた画面の２箇所に交互に出力されることになる。
【００２４】
その結果、画面上は、例えば図１２に示すように、ある１水平期間に着目すると、例えば走査線Ｇ３〜Ｇｍ＋２に対応するドットは正極性電位のデータが書き込まれる領域（例えば映像が表示される領域）となり、走査線Ｇ１〜Ｇ２及びＧｍ＋３〜Ｇ２ｍに対応するドットは負極性電位のデータが書き込まれる領域（例えば白画像が表示される領域）となるというように、画面内があたかも異なる極性のデータが書き込まれた正極性領域と負極性領域の２つの領域に分割されたような状態となる。そして、各領域は、図１３に示すように、画面の上側から下側に向けて２水平期間毎に１ラインずつスクロールし、１垂直期間で画面全体を移動する。そして、１フレームの画像が表示されると映像表示用のフィールドデータ及び白表示用のフィールドデータはそれぞれ極性を反転され、同様の手順で書き込みが行なわれる。
【００２５】
すなわち、本実施形態は、映像用のフィールドと白表示用のフィールドに分け、これらを交互に書き込むことで、映像中に白画像を挿入するようにしたものである。このとき、本実施形態では、上記第１実施形態のように、前フィールドの画像を全て書き込んだ後、次フィールドの画像の書き込みを開始するのではなく、前フィールドの画像を途中まで書き込んだ段階で次フィールドの画像の書き込みを開始している。このため、画面内には各フィールドに対応して、ある程度の広さを持った正電位の印加領域と負電位の印加領域とが形成される。
【００２６】
本実施形態では、このように画面の半分の広さを持った正極性領域と負極性領域とが１垂直期間で反転することになり、領域毎には面反転駆動が行われる。１垂直期間において、任意の１ドットと隣接する１ドットとの間は２／２ｍの時間だけは逆極性電位となるが、残りの大部分の時間（２ｍ−２）／２ｍは同極性電位となっているので、ディスクリネーションはほとんど発生しない。一方、データ線６ａ側については通常のライン反転駆動と略同様の動作が行なわれるため、通常の面反転駆動ように画面の上側の画素と下側の画素で画素電極−データ線間の時間的な電位の関係に大きな差異が生じることがない。このため、クロストークを抑制しつつ、画面の場所による表示の不均一を回避することができる。
【００２７】
［第３の実施の形態］
以下、本発明の第３の実施の形態を図１４〜図１６を参照して説明する。
本実施の形態の液晶ライトバルブ（液晶装置）の基本構成は第２の実施の形態とほぼ同様であり、ゲート出力パルスの出力間隔を可変に制御できるようにした点のみ異なっている。
【００２８】
前述のように、本発明では１垂直期間内において映像表示用のデータと白表示用のデータとが交互に書き込まれるため、画面内には常に映像表示領域と白表示領域とが存在し、先に書き込まれたフィールド（例えば白表示用のフィールド）の画像は、これよりも後に書き込みを開始されたフィールド（例えば映像表示用のフィールド）の画像によって順次書き換えられていく。例えば、白表示用フィールドの書き込みを開始した後、ｋライン目まで走査された段階（即ち、２ｋ水平期間経過後）で映像表示用フィールドの書き込みを開始すると、先に書き込まれた１ライン目〜ｋライン目の白画像は、その後の２ｋ水平期間の間に映像によって書き換えられる。換言すると、先に書き込まれたフィールドデータはｋライン分しか画面内に保持されないこととなる。
【００２９】
このため、例えば図１４に示すように、２つのゲート出力パルスの出力間隔を短くすると、図１５に示すように、白表示領域の面積は映像表示領域に対して相対的に小さくなり、明るい表示となる。逆に、図１６に示すように、ゲート出力パルスの出力間隔を長くした場合には、白表示領域の面積は大きくなるため、暗い表示となる。この白表示用フィールドの保持期間と表示の明るさとはトレードオフの関係にあるため、このゲート出力パルスの出力間隔（即ち、各フィールドの書き込み開始時期の間隔）を外部からの情報（例えば映像信号に基づく情報、投射拡大率に基づく情報、使用環境下における明るさの状況に基づく情報、使用者の好みに基づく情報など）に基づいて可変に調節することで、使用環境や使用者の好み等に応じた最適な表示を行なうことができる。
なお、本実施形態では、映像表示用のデータと白表示用のデータとを１水平期間毎に交互に出力したが、この代わりに、白表示用のデータを映像の帰線期間内に書き込むようにしてもよい。これにより、上記第１実施形態のように倍速駆動を行なうことなく、上述の効果を得ることができる。
【００３０】
［投射型液晶装置］
図１７は上記実施の形態の液晶ライトバルブを３個用いた、いわゆる３板式の投射型液晶表示装置（液晶プロジェクタ）の一例を示す概略構成図である。図中、符号１１００は光源、１１０８はダイクロイックミラー、１１０６は反射ミラー、１１２２，１１２３，１１２４はリレーレンズ、１００Ｒ，１００Ｇ，１００Ｂは液晶ライトバルブ、１１１２はクロスダイクロイックプリズム、１１１４は投射レンズ系を示す。
【００３１】
光源１１００は、メタルハライド等のランプ１１０２とランプ１１０２の光を反射するリフレクタ１１０１とから構成されている。青色光・緑色光反射のダイクロイックミラー１１０８は、光源１１００からの白色光のうちの赤色光を透過させるとともに、青色光と緑色光とを反射する。透過した赤色光は反射ミラー１１０６で反射され、赤色光用液晶ライトバルブ１００Ｒに入射される。
【００３２】
一方、ダイクロイックミラー１１０８で反射された色光のうち、緑色光は、緑色光反射のダイクロイックミラー１１０８によって反射され、緑色用液晶ライトバルブ１００Ｇに入射される。一方、青色光は、第２のダイクロイックミラー１１０８も透過する。青色光に対しては、光路長が緑色光、赤色光と異なるのを補償するために、入射レンズ１１２２、リレーレンズ１１２３、出射レンズ１１２４を含むリレーレンズ系からなる導光手段１１２１が設けられ、これを介して青色光が青色光用液晶ライトバルブ１００Ｂに入射される。
【００３３】
各ライトバルブ１００Ｒ，１００Ｇ，１００Ｂにより変調された３つの色光はクロスダイクロイックプリズム１１１２に入射する。このプリズムは、４つの直角プリズムが貼り合わされ、その内面に赤色光を反射する誘電体多層膜と青色光を反射する誘電体多層膜とが十字状に形成されたものである。これらの誘電体多層膜によって３つの色光が合成されて、カラー画像を表す光が形成される。合成された光は、投射光学系である投射レンズ系１１１４によってスクリーン１１２０上に投射され、画像が拡大されて表示される。
【００３４】
上記構成の投射型液晶表示装置においては、上記実施の形態の液晶ライトバルブを用いたことにより、表示の均一性に優れた投射型液晶表示装置を実現することができる。
【００３５】
なお、本発明の技術範囲は上記実施の形態に限定されるものではなく、本発明の趣旨を逸脱しない範囲において種々の変更を加えることが可能である。例えば上記の実施の形態では１フレームのデータを映像表示用及び白表示用の２つのフィールドのデータに分けたが、本発明はこれに限定されず、１フレームのデータを連続した３つ以上のフィールドのデータに分け、これらのフィールドの書き込み開始時期を１垂直期間内でずらしながら各フィールドのデータを１水平期間毎に交番的に書き込むようにしてもよい。この場合、少なくともいずれか１つのフィールドデータを白表示用のデータとし、連続したフィールドの間でデータの極性を反転させるようにする。
【００３６】
具体的には、走査ドライバにおいて、フィールドの数（例えばｎ個）に応じて１垂直期間内にｎ個のゲート出力パルスを異なるタイミングで出力し、これらをクロック信号に同期して１水平期間毎に交番的にシフトさせる。この際、各走査線には１水平期間毎に交番的に立ち上がるｎ個のイネーブル信号のいずれかを割り当て、上記ゲート出力パルスとイネーブル信号とにより選択された走査線に対して走査信号を出力する。そして、データドライバにおいて、これらのフィールドのデータを各データ線に対して１水平期間毎に交番的に供給する。
【００３７】
また、上記実施形態ではＴＦＴを用いたアクティブマトリクス型の液晶装置を例に挙げて説明したが、本発明はこれに限定されず、例えば画素スイッチング素子にＴＦＤ（Thin Film Diode）を用いたものや、パッシブマトリクス型のもの等、複数の画素をマトリクス駆動する種々の表示装置に対して本発明を適用することができる。
【図面の簡単な説明】
【００３８】
【図１】本発明の第１実施形態に係る液晶ライトバルブの概略構成を示す平面図。
【図２】図１のＨ−Ｈ’線に沿う断面図。
【図３】同、液晶ライトバルブを構成するマトリクス状に形成された複数の画素の等価回路図。
【図４】同、液晶ライトバルブの駆動回路部を含むブロック図。
【図５】同、画面の動きを説明するための図。
【図６】本発明の第２実施形態に係る液晶ライトバルブの駆動回路部を含むブロック図。
【図７】同、駆動回路部内の走査ドライバの構成を示す回路図。
【図８】図７中の要部の詳細回路図。
【図９】同、液晶ライトバルブの動作を説明するためのタイミングチャート。
【図１０】図９中の要部を取りだして示すタイミングチャート。
【図１１】図１０中の要部を取りだして示すタイミングチャート。
【図１２】同、液晶ライトバルブの画面のイメージを示す図。
【図１３】同、画面の動きを説明するための図。
【図１４】本発明の第３実施形態に係る液晶ライトバルブの動作を説明するためのタイミングチャート。
【図１５】同、画面の動きを説明するための図。
【図１６】同、液晶ライトバルブの動作を説明するためのタイミングチャート。
【図１７】本発明の投射型表示装置の一例を示す概略構成図。
【符号の説明】
【００３９】
１，１００Ｒ，１００Ｇ，１００Ｂ・・・液晶ライトバルブ（画像表示装置）、６０，７０・・・駆動回路部、１１１４・・・投射レンズ
【図１】
2005055828.tif 000003
【図２】
2005055828.tif 000004
【図３】
2005055828.tif 000005
【図４】
2005055828.tif 000006
【図５】
2005055828.tif 000007
【図６】
2005055828.tif 000008
【図７】
2005055828.tif 000009
【図８】
2005055828.tif 000010
【図９】
2005055828.tif 000011
【図１０】
2005055828.tif 000012
【図１１】
2005055828.tif 000013
【図１２】
2005055828.tif 000014
【図１３】
2005055828.tif 000015
【図１４】
2005055828.tif 000016
【図１５】
2005055828.tif 000017
【図１６】
2005055828.tif 000018
【図１７】
2005055828.tif 000019